(57)【要約】      （修正有）【課題】より簡単に衛生的に且つ均一なプレスサンドを楽しみながら作成する器具を提供する。【解決手段】１枚の食パンの上に器具の下部を下にして置き、上部から具材を容器形状に合わせ内部の段差まで入れ、一旦器具を取り去る。具材を載せた食パンにもう１枚の食パンを重ね、その上から器具を反転させ上部を下にして重ねた食パンの上から押し付ける。器具上部は食パンを重ねて押し付けつつ切取に適した角度を有しており、圧着と切断を兼ねる構造になっているので、押し付けた状態のまま周囲の食パンの耳を取り除けばプレスサンドが作成できる。また、この器具の下部はスライス状の具材を切り取る形状になっているので適度の大きさに切り取ることができる。さらに、器具側面の２箇所に突起をつけているので側面を下にして立てることができ、圧着及び切断面が台等に触れない衛生的な構造になっている。【選択図】図１
0003152297.tif 000002
【実用新案登録請求の範囲】
【請求項１】
複数の食パンの間に好みの具を挟み外周部を圧着密閉するプレスサンドウィッチ作成器具であって、食パンの上に食パンの外周に合わせて当該器具の下部を下に配置し、予め準備した具を具材挿入線まで入れ、一旦器具を外し、もう１枚の食パンを具を載せた食パンの上に形状を合わせて載せ、その上から器具を反転し上部を下にして形状を合わせて載せ、器具の上から押圧する事により、サンドウィッチの周囲の圧着と切取ができ、複数の食パンの間に具を挟み込んで封入したプレスサンドウィッチが１つの器具で作成できることを特徴とする密閉型プレスサンド製作器。
【請求項２】
器具の下部は、スライスハム、スライスチーズ等の平たい形状の具を、パンの間に挿入するに適当な形状と大きさに切断できるようにされていることを特徴とする請求項１に記載の密閉型プレスサンド製作器。
【請求項３】
器具の最長辺の側面に、２箇所の突起を着けることにより、その側面を下にして立てることができ、プレス式サンドウィッチの作成過程で、パンや具材の圧着及び切断部分がまな板や食卓等に直接触れることがない、衛生的なことを特徴とする請求項１または請求項２に記載の密閉型プレスサンド製作器。
【考案の詳細な説明】
【技術分野】
【０００１】本考案は、複数の食パンの間に好みの具を、適量かつ適度の大きさで挟み込んで、密閉し切断したプレスサンドを１つの器具で簡単に家庭でも作成できる密閉型プレスサンド製作器に関するものである。
【背景技術】
【０００２】プレス式サンドウィッチを作る際、従来品の場合、パンの押し付け型と切り抜き型の２つの部品になっていた。【０００３】パンの中に挟みこむ具の分量や大きさ、具の挟める範囲と位置を目分量で行うことであり、また、具材を適度の大きさに切る機能はなかった。【０００４】従来品は、パンの押し付け型と切り抜き型共に、押し付け面及び切り抜き面を下にして置く形状になっていた。【０００５】
【考案の開示】
【考案が解決しようとする課題】
【０００６】押し付け型と切り取り型の２つの部品では、プレス式サンドウィッチの作成に手間がかかるとともに、洗いと保管の負担や紛失の危険も大きい。【０００７】中に挟みこむ具の大きさと分量の目途が不明瞭なため、具のサンドウィッチからのはみ出しや圧着不良が発生していた。具の大きさや分量を器具の構造または機能で測ることができれば、家庭で又子供にも完成度の高いかつ均一なプレスサンドが作成できるが、その提案がされていなかった。【０００８】連続してプレスサンドを作成する課程で、器具を置く場合、前記の通り押し付け面及び切り取り面を下にして置く形状になっていた。パンや具と触れた部分がテーブル等の台に触れることによる衛生面での配慮が十分でなかった。
【課題を解決するための手段】
【０００９】本考案は、上述の既成器具の課題点を解消するように検討を重ね、より簡単に衛生的に且つ均一なプレスサンドを楽しみながら作成する器具を提案するものであって、具体的には次の通りである。【００１０】従来の同種製品は、２ｍｍ程度の厚みを持った押し付け型と鋭利な切り取り型の２種類の型で製作していたが、本考案は容器上部の縁は従来物より厚みを持ち、縦断面は食パンを圧着しつつ切取に適した角度を有する形状で、サンドウィッチの圧着と切断を同時に行うこととした。【００１１】容器下部はサンドウィッチに挟み込む具を適度の大きさに切断することができるが、更に、器具の内側に段差があるので、その段差は挟み込む具の高さ目安にすることができる。また、その平面形状は具材の配置場所の目安とすることができる。【００１２】器具の最長辺の側面に２箇所の突起を着けることによって、この側面を下にして立てることができるようにしたが、これは作成過程で、押付及び切断面が異物と触れないで調理ができるので衛生面での効果がある。
この３点の方法により、前述の課題は解決されるものである。
【考案の効果】
【００１３】上述のように、本考案の密閉型プレスサンド製作器は、サンドウィッチとして適度な大きさや分量の具で、そして形状と大きさの整ったプレスサンドウィッチが簡単に１つの器具で且つ衛生的に製作することができる。
【実施例】
【００１４】１枚の食パンをまな板等の上に置き、密閉式プレスサンド製作器（以後、製作器と表す）の下部▲２▼を下にして製作器の外周と食パンの耳の内側との位置を合わせて乗せる。【００１５】事前に準備した具を、製作器内部の段差である具材挿入線▲４▼まで平らに乗せる。一旦製作器を外し、もう１枚の食パンを具材を乗せた食パンの上に食パンの位置を合わせて載せる。【００１６】製作器を反転し上部を下にして食パンの上から押し付ける。押し付けた状態のまま、食パンの耳の部分を取り去る。その後、製作器を取り去ればプレスサンドが出来上がる。【００１７】スライスハム等のスライス状の具を入れる場合、上記の前作業として、具材切取り刃▲３▼で具の形状に合わせて切り取ることができる。
【図面の簡単な説明】
【００１８】
【図１】  本考案の斜め上方図
【図２】  図１の一部断面図
【図３】  斜め下方図
【符号の説明】
【００１９】  ▲１▼  上部  食パン圧着及び切取部
▲２▼  下部  具材切取及び具材挿入部
▲３▼  具材切取刃部
▲４▼  具材挿入線
▲５▼  食パン圧着及び切取刃部
▲６▼  脚代用突起
【図１】
0003152297.tif 000003
【図２】
0003152297.tif 000004
【図３】
0003152297.tif 000005
【手続補正書】
【提出日】平成21年5月1日(2009.5.1)
【手続補正１】
【補正対象書類名】実用新案登録請求の範囲
【補正対象項目名】全文
【補正方法】変更
【補正の内容】
【実用新案登録請求の範囲】
【請求項１】
複数の食パンの間に好みの具を挟み外周部を圧着密閉するプレスサンド作成器具であって、その構成は筒状で、筒上面がパンを押圧するとともにパンを切断する刃部を有し、筒内面に於いては筒開口部より小さい開口の具材挿入開口を持ち、筒下面部分にパン押え部を持つことによりプレスサンドウィッチが１つの器具で作成できることを特徴とする密閉型プレスサンド製作器。
【請求項２】
筒下面部分の周囲のパン押え部には、それより下方に向って外周より小さなスライス状の具材切断用の刃を突設されていることを特徴とする請求項１に記載の密閉型プレスサンド製作器。
【請求項３】
器具の最長辺の側面に、２箇所の突起を着けることにより、その側面を下にして立てることができ、プレス式サンドウィッチの作成過程で、パンや具材の圧着及び切断部分がまな板や食卓等に直接触れることがない、衛生的なことを特徴とする請求項１または請求項２に記載の密閉型プレスサンド製作器。